(57)【要約】      （修正有）【課題】審美性を高め、いわゆる本物志向・自然志向の強い需要者を満足させ得る杖であって、コンパクトに折り畳み可能とし、審美性と利便性とを共に追求した木製折畳杖を提供する。【解決手段】支柱が３本以上の棒状の支柱部材に分別され、各支柱部材が伸縮性ゴム紐及び端部結合体によって一体化される木製折畳杖であって、前記支柱が無垢木材から成っており、且つ前記端部結合体が、支柱を分別した支柱部材の各端部に埋設固定され、互いに嵌合結合される嵌入体と嵌受体とから構成される対の嵌合体であり、しかも前記伸縮性ゴム紐は、支柱部材によって挟まれる中間支柱部材を貫通する細孔を通り、両端が両端支柱部材の位置で固着されていることを特徴とする木製折畳杖。【選択図】図１
0003151059.tif 000002
【実用新案登録請求の範囲】
【請求項１】
支柱が３本以上の棒状の支柱部材に分別され、各支柱部材が伸縮性ゴム紐及び端部結合体によって一体化される木製折畳杖であって、
前記支柱が無垢木材から成っており、
且つ前記端部結合体が、支柱を分別した支柱部材の各端部に埋設固定され、互いに嵌合結合される嵌入体と嵌受体とから構成される対の嵌合体であり、
しかも前記伸縮性ゴム紐は、支柱部材によって挟まれる中間支柱部材を貫通する細孔を通り、両端が両端支柱部材の位置で固着されていることを特徴とする木製折畳杖。
【請求項２】
端部結合体が、嵌入体の段部及び嵌受体の前記段部と当接する端面は、各々支柱部材の端部端面から突出しない構成によって、支柱部材の内部に埋設固定され、支柱が一体化された状態で外観から視認できない構成であることを特徴とする請求項１に記載の木製折畳杖。
【請求項３】
無垢木材が、スネークウッド、パウサントウッド、籐、黒檀、紫檀、鉄刀木、かりん、ツバキ、かえで、オーク、樫、ケヤキ、寒竹、チェリー、トリネコ、クリ、マホガニー、チーク、ビワ、クルミ又は樺であることを特徴とする請求項１又は２に記載の木製折畳杖。
【請求項４】
中間支柱部材を貫通する細孔の径が、伸縮性ゴム紐の自然長時の径以下、伸縮性ゴム紐の装着状態における伸長時の径以上であることを特徴とする請求項１〜３のいずれかに記載の木製折畳杖。
【請求項５】
支柱が、少なくとも端部を含む一部又は全部の外表面について、表面処理がされていることを特徴とする請求項１〜４のいずれかに記載の木製折畳杖。
【請求項６】
支柱部材の端部端面が、端部結合体を埋設してある端部の端面について、表面処理がされていることを特徴とする請求項１〜５のいずれかに記載の木製折畳杖。
【請求項７】
表面処理が、ウレタン塗装、アクリル塗装、ラッカー塗装、ワックス仕上、オイル仕上、ソープ仕上、合成樹脂コーティングであることを特徴とする請求項５又は６に記載の木製折畳杖。
【考案の詳細な説明】
【技術分野】
【０００１】
本考案は、木製折畳杖に関し、詳しくは無垢木材から成る木製折畳杖に関する。
【背景技術】
【０００２】
従来から、歩行補助具でありながらコンパクトに折り畳むことができる杖であって、支柱が複数の棒状の支柱部材に分別され、各支柱部材が伸縮性ゴム紐及び端部結合体によって一体化される折畳杖が知られている。
【０００３】
例えば、複数の支柱部材を連結して構成され、且つ前記各々の支柱部材の連結が該支柱部材の端部に設けられる凸型ジョイント部と凹型ジョイント部との嵌合によって行われる折畳杖が知られている（特許文献１）。
しかし、特許文献１に記載の技術では、利便性のみが追求され、審美性については一切考慮されていない。
【０００４】
また、折畳杖の支柱表面にエポキシ樹脂層を有し、該エポキシ樹脂層中にレース布が埋設状態で配設することにより、装飾を施した折畳杖が知られている（特許文献２）。
しかし、特許文献２に記載の技術では、装飾が過剰になりがちで、いわば作り物の装飾を施したに過ぎず、飽き易く、必ずしも使用者の趣向を捉えたものとはいえない。
【０００５】
【特許文献１】特開２００５−２８７９７８
【特許文献２】実用新案登録第３１２２５１７号
【考案の開示】
【考案が解決しようとする課題】
【０００６】
最近、いわゆる本物志向・自然志向が高まり、杖の需要者にもこれらの志向を反映した杖を手にしたいという要望が高まっている。
一方、杖は歩行時以外には必要とされることが少なく、その置き場に困ることも少なくないことから、折畳杖の需要も根強くある。
【０００７】
折畳杖は、その材質をアルミニウム等の金属とするものばかりで、ほとんどのものは審美性について考慮されていない。支柱に装飾を施した折畳杖も、アルミニウム等の金属製の支柱に装飾を施したに過ぎず、また模様を印刷、塗装等していることから、いわゆる本物志向・自然志向の強い需要者を満足させるものではない。
【０００８】
そこで、本考案の課題は、審美性を高め、いわゆる本物志向・自然志向の強い需要者を満足させる得る杖であって、コンパクトに折り畳み可能とし、審美性と利便性とを共に追求した木製折畳杖を提供することにある。
【課題を解決するための手段】
【０００９】
上記課題を解決する本考案は、下記構成を有する。
１．支柱が３本以上の棒状の支柱部材に分別され、各支柱部材が伸縮性ゴム紐及び端部結合体によって一体化される木製折畳杖であって、
前記支柱が無垢木材から成っており、
且つ前記端部結合体が、支柱を分別した支柱部材の各端部に埋設固定され、互いに嵌合結合される嵌入体と嵌受体とから構成される対の嵌合体であり、
しかも前記伸縮性ゴム紐は、支柱部材によって挟まれる中間支柱部材を貫通する細孔を通り、両端が両端支柱部材の位置で固着されていることを特徴とする木製折畳杖。
【００１０】
２．端部結合体が、嵌入体の段部及び嵌受体の前記段部と当接する端面は、各々支柱部材の端部端面から突出しない構成によって、支柱部材の内部に埋設固定され、支柱が一体化された状態で外観から視認できない構成であることを特徴とする請求項１に記載の木製折畳杖。
【００１１】
３．無垢木材が、スネークウッド、パウサントウッド、籐、黒檀、紫檀、鉄刀木、かりん、ツバキ、かえで、オーク、樫、ケヤキ、寒竹、チェリー、トリネコ、クリ、マホガニー、チーク、ビワ、クルミ又は樺であることを特徴とする請求項１又は２に記載の木製折畳杖。
【００１２】
４．中間支柱部材を貫通する細孔の径が、伸縮性ゴム紐の自然長時の径以下、伸縮性ゴム紐の装着状態における伸長時の径以上であることを特徴とする前記１〜３のいずれかに記載の木製折畳杖。
【００１３】
５．支柱が、少なくとも端部を含む一部又は全部の外表面について、表面処理がされていることを特徴とする前記１〜４のいずれかに記載の木製折畳杖。
【００１４】
６．支柱部材の端部端面が、端部結合体を埋設してある端部の端面について、表面処理がされていることを特徴とする前記１〜５のいずれかに記載の木製折畳杖。
【００１５】
７．表面処理が、ウレタン塗装、アクリル塗装、ラッカー塗装、ワックス仕上、オイル仕上、ソープ仕上、合成樹脂コーティングであることを特徴とする前記５又は６に記載の木製折畳杖。
【考案の効果】
【００１６】
前記１に示す考案によれば、無垢木材のみが持つ杢の美しさを外観とし、且つ折り畳み可能な杖とすることで、審美性と利便性とを共に追求した木製折畳杖を提供することができる。
【００１７】
前記２に示す考案によれば、折畳杖でありながら、支柱部材を一体化した状態の外観からは、１本の無垢木材から成る支柱のように観察され、より審美性を高めることができる。
【００１８】
前記３に示す考案によれば、無垢木材の中でも銘木として知られる各木材を支柱の材料とすることにより、より審美性を高めることができる。
【００１９】
前記４に示す考案によれば、中間支柱部材を貫通する細孔と、伸縮性ゴム紐とが接触することから、その間に摩擦が生じ、嵌入体と嵌受体とが脱落することを防止することができると共に、支柱の無垢木材の厚さを最大限にとる事ができ、支柱の強度を高めることができる。
【００２０】
前記５に示す考案によれば、折り畳み時に支柱部材同士が接触し、その表面を傷つけることを抑制することができる。
【００２１】
前記６に示す考案によれば、支柱部材の端部端面の割れ・摩耗等を防止・抑制することができ、支柱部材端部の強度を補うこともできる。
【００２２】
前記７に示す考案によれば、折り畳み時に支柱部材同士が接触し、その表面を傷つけることを、より効果的に抑制することができる。
【図面の簡単な説明】
【００２３】
【図１】本考案に係る木製折畳杖の一実施例を示す説明図
【図２】本考案に係る木製折畳杖の支柱部材の結合を示す部分断面図
【図３】本考案に係る木製折畳杖の中間支柱部材の一部を示す断面図
【考案を実施するための形態】
【００２４】
添付の図面に従って、本考案を詳細に説明する。
図１は、本考案に係る木製折畳杖の一実施例を示す説明図である。図１（Ａ）が、木製折畳杖の支柱部材を一体化し、歩行補助具として使用可能な状態とした態様であり、図１（Ｂ）が、木製折畳杖を折り畳んだ態様を示す一実施例である。
【００２５】
木製折畳杖１は、手元２、支柱３、石突４、伸縮性ゴム紐５及び端部結合体６によって構成される。後に詳述するが、木製折畳杖１は、端部結合体６の脱着により、支柱が一体化され、歩行補助具として使用可能な状態と、コンパクトに折りたたんだ状態とに、その態様を変えることができる。
【００２６】
支柱３は、３本以上の支柱部材から構成され、図１において、手元２又は石突４に接する支柱部材、即ち支柱部材の端部の一方を他の支柱部材と連結しない支柱部材を両端支柱部材３１とし、両端支柱部材３１に挟まれる支柱部材、即ち支柱部材の両端部を他の支柱部材と連結する支柱部材を中間支柱部材３２とする。
【００２７】
支柱３を構成する３本以上の支柱部材は、各支柱部材（両端支柱部材３１及び中間支柱部材３２をいう。）が一体化され、歩行補助具として使用可能な状態とした際、その外観が１本の支柱として見え得る程度に、外径が長手方向に連続している。即ち、各支柱部材の外径は、同一とすることもできるし、手元２に接する両端支柱部材３１から、石突４に接する両端支柱部材３１に向けて次第に下窄みとなる形状としてもよい。
また、支柱３は、その断面を円形（楕円形を含む。）としてもよいし、三角形、四角形又はその他の多角形としてもよく、その形状に限定はない。
【００２８】
両端支柱部材３１は、支柱部材の両端に位置し、一方の端部が中間支柱部材３２と接し、他方の端部が手元２又は石突４と接する。
両端支柱部材３１の内部には、端部結合体６のうち、嵌合部６１又は嵌受体６２のいずれかが埋設固定され、更に伸縮性ゴム紐５の結着部５１が形成される（図２参照。）。
【００２９】
中間支柱部材３２は、両端部が他の支柱部材（両端支柱部材３１又は中間支柱部材３２。）と接する。中間支柱部材３２は、少なくとも１本あり、２本以上としてもよい。
【００３０】
中間支柱部材３１には、細孔３３が長手方向に貫通している。
細孔３３の径は、伸縮性ゴム紐５の自然長時の径以下、伸縮性ゴム紐５の装着状態（各支柱部材を結合することにより支柱を一体化し、木製折畳杖１が歩行補助具として使用可能な状態をいう。）における伸長時の径以上である。
伸縮性ゴム紐５は、自然長時と伸長時とでは、径が異なる。即ち、自然長における径が最も大きく、伸長時における径は伸長した長さに応じて小さくなる。伸縮性ゴム紐５の伸長に応じた、細孔３３との関係を、図３に示す。図３（Ａ）は、装着状態における伸縮性ゴム紐５と、細孔３３との関係を示す説明図であり、伸縮性ゴム紐５と細孔３３は接触している。図３（Ｂ）は、装着状態以上に伸長した伸縮性ゴム紐５と、細孔３３との関係を示す説明図であり、伸縮性ゴム紐５と細孔３３との間には空間が生じ、互いに接触していない。
【００３１】
細孔３３の径を上記のように限定することで、細孔３３と伸縮性ゴム紐５とが接触することから（図３（Ａ）参照）、伸縮性ゴム紐５との間で長手方向の摩擦力が生じ、ゴム紐が縮もうとする復元力と相俟って、嵌入体６１と嵌受体６２とが嵌合状態から脱落することを防止することができる。
また、支柱の無垢木材の厚さを最大限にとる事ができ、支柱の強度を高めることができる。
【００３２】
支柱３を構成する３本以上の支柱部材は、無垢木材によって形成される。
無垢木材とは、原木から切り出した材であり、小さな木の破片や薄い板を集め接着剤で貼りつけて大きな寸法の部材とした木質材料と異なる。
本考案にかかる木製折畳杖１は、支柱３が無垢材料で形成されるが、無垢木材の中でも銘木として知られる「スネークウッド、パウサントウッド、籐、黒檀、紫檀、鉄刀木（タガヤサン）、かりん、ツバキ、かえで、オーク（ナラ）、樫、ケヤキ、寒竹、チェリー、トリネコ、クリ、マホガニー、チーク、ビワ、クルミ、樺」のうちから一の無垢木材を選択し、採用することが好ましい。
【００３３】
支柱３は、これを構成する支柱部材３１・３２の少なくとも端部３１ａ・３２ａを含む一部又は全部の外表面について、表面処理がされていることが好ましい。表面処理をすることにより、折り畳み時（図１（Ｂ）参照）に支柱部材３１・３２同士が接触し、その表面を傷つけることを抑制することができる。
【００３４】
表面処理の手段として、ウレタン塗装（例えば、エポキシウレタン樹脂による塗装を含む。）、アクリル塗装、ラッカー塗装、ワックス仕上、オイル仕上、ソープ仕上、合成樹脂コーティングが挙げられる。これらの手段は、無垢木材の表面処理に適しており、傷や汚れを抑制することができる。
【００３５】
図２に示すように、各支柱部材の端部３１ａ・３２ａが各支柱部材３１・３２の他の箇所に比して厚みが薄くなり、その強度が弱まることから、割れ・磨耗等が生じるおそれがある。この割れ・摩耗等を防止・抑制するために、各支柱部材の端部端面３１ｂ・３２ｂ（端部結合体６を埋設してある端部の端面）の各々に表面処理を施すことが好ましい。
この表面処理の手段としては、上記ウレタン塗装（例えば、エポキシウレタン樹脂による塗装を含む。）等の例を挙げることができる。また、樹脂（天然及び合成樹脂を含む。）含浸等の公知公用の補強手段を採用することもできる。
【００３６】
伸縮性ゴム紐５は、紐のように糸でコーティングされたゴムであり、伸縮性を有する。本考案においては、伸縮性ゴム紐５として公知公用のものを用いることができる。
伸縮性ゴム紐５は、支柱部材３１・３２を連結する役割を果たす。
【００３７】
伸縮性ゴム紐５は、図２に示すように、その両端に結着部５１を有し、結着部５１は両端支柱部材３１に埋設固定される。結着部５１は、伸縮性ゴム紐５の端部を、両端支柱部材３１の位置に固定する役割を果たす。
結着部５１は、伸縮性ゴム紐５の両端を結び、その結び目を結着部５１とすることができ、他の部材を結着・接着等の手段で取り付け結着部５１としてもよい。尚、図２の各図において、結着部５１の断面を表すハッチ線は省略する。
【００３８】
伸縮性ゴム紐５は、両端支柱部材３１の位置に固着された一方の結着部５１から、中間支柱部材３２の細孔３３を貫通し、同じく両端支柱部材３１の位置に固着された他方の結着部５１まで挿通される。木製折畳杖１が、各支柱部材が一体化され歩行補助具として使用可能な状態のときは、一方の結着部５１から他方の結着部５１まで一直線に挿通され、折り畳み状態のときは、図１（Ｂ）に示すように、各支柱部材３１・３２間で屈曲する。
【００３９】
端部結合体６は、図２に示すように、嵌入体６１と嵌受体６２との対を一組として構成される。
嵌入体６１は凸型形状で、嵌受体６２は凹型形状であり、互いに嵌合結合し得る構成である。図２（Ａ）は、嵌入体６１と嵌受体６２が嵌合していない状態を示し、図２（Ｂ）は、嵌入体６１と嵌受体６２が嵌合している状態を示す。
また、嵌入体６１と嵌受体６２は、伸縮性ゴム紐５が挿通するための透孔を有する。
【００４０】
嵌入体６１と嵌受体６２は、支柱部材３１・３２の各端部３１ａ・３２ａに埋設固定される。固定手段としては、支柱部材の各端部３１ａ・３２ａに嵌合固定することもでき、接着剤等を使用して固定することもできる。
【００４１】
端部結合体６は、図１（Ａ)に示すように、各支柱部材３１・３２の内部に埋設固定され、支柱３が一体化された状態で外観から視認できない構成であることが好ましい。即ち、図２に示すように、端部結合体６を構成する嵌入体６１と嵌受体６２は、それぞれ、各支柱部材の端部３１ａ・３２ａに埋設され、各支柱部材３１・３２の外表面には表れない構成であることが好ましい。即ち、嵌入体６１の段部６１ａ及び嵌受体６２の前記段部６１ａと当接する端面６２ａは、各々支柱部材の端部端面３１ｂ・３２ｂから突出しない構成である。支柱部材３１・３２を一体化した状態の外観からは、１本の無垢木材から成る支柱３のように観察され、より審美性を高めることができるためである。
【００４２】
図２において、嵌入体６１を両端支柱部材３１の端部３１ａに埋設し、嵌受体６２を中間支柱部材３２の端部３２ａに埋設した態様としているが、本考案においてその態様は特に限定されず、嵌入体６１と嵌受体６２の埋設位置が逆でもよい。
【００４３】
端部結合体６は、嵌受体６１と嵌受体６２とを嵌合させることにより、支柱部材を一体化し、木製折畳杖１を歩行可能な状態とする役割を果たすと共に、嵌受体６１と嵌受体６２との嵌合を脱離させることにより支柱部材を分別し、コンパクトに折り畳むことを可能とする役割を果たす。
【００４４】
端部結合体６は、一定の強度を有することが要求されるため、金属製であることが好ましく、軽量化を図る観点からアルミニウム製であることがより好ましい。
【００４５】
手元２は、木製折畳杖１の使用者が、把持する持ち手（グリップ）であり、杖の手元として公知公用のものを用いることができる。材質については、例えば、支柱３と同様に無垢木材を用いることもでき、合成樹脂、金属又は象牙等を用いることもできる。
【００４６】
石突４は、歩行補助具として木製折畳杖１を使用する際に、地面と接触する部分であり、支柱３が地面との接触によって摩耗することを防止すること、及び地面との間で木製折畳杖１が滑ることを防止・抑制する役割を果たし、杖の石突として公知公用のものを用いることができる。材質については、例えば、合成樹脂、ゴム、金属等を用いることができる。
【符号の説明】
【００４７】
１  木製折畳杖
２  手元
３  支柱
３１  両端支柱部材
３１ａ  両端支柱部材端部
３１ｂ  両端支柱部材端部端面
３２  中間支柱部材
３２ａ  中間支柱部材端部
３２ｂ  中間支柱部材端部端面
３３  細孔
４  石突
５  伸縮性ゴム紐
５１  結着部
６  端部結合体
６１  嵌入体
６１ａ  嵌入体段部
６２  嵌受体
６２ａ  嵌受体端面
【図１】
0003151059.tif 000003
【図２】
0003151059.tif 000004
【図３】
0003151059.tif 000005